(57)【要約】【目的】挿入部の先端部がホワイトバランス調整具の内面に近づきすぎた場合や、挿入部からの照明光が強すぎる場合にも、適正な状態でホワイトバランスの調整を行うことが可能な電子内視鏡用ホワイトバランス調整具を提供する。【構成】照明光を発する電子内視鏡の挿入部が挿入される筒状部と、該筒状部の一端を閉塞する底部とを有する有底筒状をなし、その内面全体が不透光性の白色をなすホワイトバランス調整具において、その内面全体を乱反射面としたことを特徴とする電子内視鏡用ホワイトバランス調整具。【選択図】      図７
2004321478.tif 000002
【特許請求の範囲】
【請求項１】
照明光を発する電子内視鏡の挿入部が挿入される筒状部と、該筒状部の一端を閉塞する底部とを有する有底筒状をなし、その内面全体が不透光性の白色をなすホワイトバランス調整具において、
その内面全体を乱反射面としたことを特徴とする電子内視鏡用ホワイトバランス調整具。
【請求項２】
請求項１記載の電子内視鏡用ホワイトバランス調整具において、上記乱反射面が、微細凹凸面である電子内視鏡用ホワイトバランス調整具。
【請求項３】
請求項１または２記載の電子内視鏡用ホワイトバランス調整具において、上記底部内面と筒状部内面とが滑らかなＲ面で接続されており、該滑らかなＲ面上に、白色以外の塗料で筒状部の内径より小径の環状指標が描かれている電子内視鏡用ホワイトバランス調整具。
【請求項４】
請求項１または２記載の電子内視鏡用ホワイトバランス調整具において、上記底部内面と筒状部内面とを接続する接続面上に、筒状部の内径より小径のナイフエッジ状の環状指標が形成されている電子内視鏡用ホワイトバランス調整具。
【発明の詳細な説明】
【０００１】
【技術分野】
本発明は、電子内視鏡用ホワイトバランス調整具に関する。
【０００２】
【従来技術及びその問題点】
挿入部の先端部の照明光学系から光を照射する電子内視鏡を、プロセッサとテレビモニタに接続し、患部等の被写体をカラー撮像する場合は、通常、良好なカラー画面を得るためにホワイトバランスの調整を行なっている。
【０００３】
ホワイトバランス調整のためのホワイトバランス調整具としては、例えば、一端が開口し他端が閉塞する筒状をなし、その内面全体が不透明な白色となっているものがある（例えば、特許文献１）。
【０００４】
このホワイトバランス調整具に、電子内視鏡の挿入部の先端部を挿入して、挿入部の先端から照明光を照射し、プロセッサに設けられたホワイトバランススイッチをＯＮにすると、プロセッサがホワイトバランスの調整を行なう。
【０００５】
しかし、このホワイトバランス調整具の内面には乱反射防止処理が施されていないため、挿入部の先端部がホワイトバランス調整具の内面に近づきすぎた場合や、挿入部からの照明光が強すぎた場合には、上記内面からの反射光が強くなりすぎ、電子内視鏡に内蔵されたＣＣＤで撮像した観察像にハレーションが発生し、適正な状態でホワイトバランスの調整を行えないことがあった。
【０００６】
【特許文献１】
特開平４−６９６１５号公報
【０００７】
【発明の目的】
本発明は、挿入部の先端部がホワイトバランス調整具の内面に近づきすぎた場合や、挿入部からの照明光が強すぎる場合にも、適正な状態でホワイトバランスの調整を行うことが可能な電子内視鏡用ホワイトバランス調整具を提供することを目的とする。
【０００８】
【発明の概要】
本発明の電子内視鏡用ホワイトバランス調整具は、照明光を発する電子内視鏡の挿入部が挿入される筒状部と、該筒状部の一端を閉塞する底部とを有する有底筒状をなし、その内面全体が不透光性の白色をなすホワイトバランス調整具において、その内面全体を乱反射面としたことを特徴としている。
【０００９】
上記乱反射面は、微細凹凸面とするのが実際的である。
【００１０】
さらに、上記底部内面と筒状部内面とが滑らかなＲ面で接続されており、該滑らかなＲ面上に、白色以外の塗料で筒状部の内径より小径の環状指標が描かれているのが良い。
【００１１】
また、上記底部内面と筒状部内面とを接続する接続面上に、筒状部の内径より小径のナイフエッジ状の環状指標を形成してもよい。
【００１２】
【発明の実施の形態】
以下、本発明を電子内視鏡１０に適用した一実施形態について説明する。
図１に示す電子内視鏡１０は、操作部１１と挿入部１２を有し、挿入部１２の先端部は、操作部１１に設けた湾曲操作装置１３の操作に応じて上下及び左右方向に湾曲される湾曲部１２ａとなっている。操作部１１からはユニバーサルチューブ１４が延びており、このユニバーサルチューブ１４の先端に設けられたコネクタ部１４ａが、画像処理回路や光源等（いずれも図示略）が内蔵されたプロセッサ１５に接続可能となっている。
挿入部１２の先端面には、図示しない観察窓（対物窓）と照明光学系が設けられており、挿入部１２の先端部内には、観察窓の直後に位置させて結像レンズとＣＣＤ（いずれも図示略）が配設されており、ＣＣＤからは画像信号用ケーブル（図示略）が後方に向かって延びており、この画像信号ケーブルの後端部はコネクタ部１４ａまで達している。
コネクタ部１４ａには、プロセッサ１５の差込穴（図示略）に差し込み可能な光源差込用端部１６が突設されており、電子内視鏡１０の内部には、この光源差込用端部１６から照明光学系の直後にわたってライトガイドファイババンドル１７が配設されている。
【００１３】
電子内視鏡１０の光源差込用端部１６を、プロセッサ１５の差込穴に差し込むと、光源の直前にライトガイドファイババンドル１７の入射端面が位置するので、この状態でプロセッサ内の光源を発光させると、光源から発せられた光が、ライトガイドファイババンドル１７を介して照明光学系に与えられ、挿入部１２先端の観察窓を介して得られる画像が、プロセッサ１５に接続されたテレビモニタ（図示略）に映し出される。
【００１４】
このようにテレビモニタに映し出されたカラー画像を良好なものとするためには、図２乃至図８に示すホワイトバランス調整具１８を用いて、ホワイトバランス調整を行う必要がある。
【００１５】
ホワイトバランス調整具１８は、例えば不透光性の白色プラスチック樹脂により一体成形されたものであり、円形筒状の筒状部１９ａと、この筒状部１９ａの一端を閉塞する底部１９ｂと、筒状部１９ａから延出するとともに通孔２０が穿設された取付片２１とを具備している。
そして、このホワイトバランス調整具１８を成形する際に、筒状部１９ａの内部に嵌合する金型（図示略）の表面には微細な凹凸が形成されているため、筒状部１９ａの内面（筒状部内面）と底部１９ｂの内面（底部内面）の全体は、微細凹凸面（乱反射面）となっており、筒状部１９ａと底部１９ｂの内面１９ａ１、１９ｂ１は実質的に艶消し面となっている。さらに、筒状部１９ａと底部１９ｂの内面１９ａ１、１９ｂ１の接続部である環状接続部１９ｃの断面形状は、図６乃至図８に示すように滑らかなＲ面となっており、この環状接続部１９ｃには環状凸部（環状指標）１９ｄが形成されている。
【００１６】
このホワイトバランス調整具１８は、例えば、図４及び図７に示すように、筒状部１９ａの開口側を下向きにした状態で、その取付片２１の通孔２０に挿通した頭付きねじ２２を、床面上を移動可能なワゴンの天板２３の側面に穿設された雌ねじ孔２３ａ（図７参照）に螺合することにより、ワゴンの天板２３に固定される。
【００１７】
そして、ホワイトバランス調整具１８を天板２３に固定した状態で、電子内視鏡１０の挿入部１２の先端部を、その先端の照明光学系から照明光を発した状態で、下方から筒状部１９ａ内に挿入すると、テレビモニタに筒状部１９ａと底部１９ｂの内面１９ａ１、１９ｂ１の様子が映し出される。そして、プロセッサ１５に設けられたホワイトバランススイッチ（図示略）をＯＮにすると、プロセッサ１５がホワイトバランス調整を行なう。
【００１８】
この際、挿入部１２の先端がホワイトバランス調整具１８の内面１９ａ１、１９ｂ１に近づきすぎたり、挿入部１２からの照明光が強すぎても、本実施形態のホワイトバランス調整具１８の筒状部１９ａと底部１９ｂの内面１９ａ１、１９ｂ１全体は、乱反射効果を有する微細凹凸面となっているので、照明光は内面１９ａ１、１９ｂ１によって乱反射され、反射光が必要以上に強くなることはない。このため、電子内視鏡１０に内蔵されたＣＣＤで撮像した観察像にハレーションが発生することはなく、常に適正な状態でホワイトバランス調整を行うことができる。
【００１９】
さらに、筒状部１９ａと底部１９ｂの内面１９ａ１、１９ｂ１を乱反射面とし、加えて、環状接続部１９ｃの断面形状をＲ面としているが、本実施形態では、環状接続部１９ｃに指標となる環状凸部１９ｄを形成してあるため、作業者がテレビモニタを見たときに、筒状部１９ａと底部１９ｂの内面１９ａ１、１９ｂ１の区別がつかなくなることはない。このため、作業者は、この環状凸部１９ｄを目安に、挿入部１２の先端と底部１９ｂの内面１９ｂ１との距離感を容易につかむことができる。従って、作業者は、挿入部１２の先端と底部１９ｂの内面１９ｂ１との距離を適正な距離にすることができ、その結果、正確なホワイトバランス調整が可能となる。
【００２０】
なお、本実施形態では、環状指標を環状凸部１９ｄとしたが、環状凹部（図示略）としたり、指標を白色以外の塗料で描いた環状指標としてもよい。
さらに、筒状部１９ａと底部１９ｂは不透光性材料によって成形されているが、さらに、筒状部１９ａと底部１９ｂの外周面全体に不透光性の塗料（図示略）を塗ったり、不透光性材料からなるカバー（図示略）を被せれば、外部の光が筒状部１９ａと底部１９ｂを透過するのをより確実に防止できるようになる。
【００２１】
【発明の効果】
本発明によれば、挿入部の先端部がホワイトバランス調整具の内面に近づきすぎた場合や、挿入部からの照明光が強すぎる場合にも、適正な状態でホワイトバランスの調整を行うことが可能となる。
【図面の簡単な説明】
【図１】本発明の一実施形態の全体構造を示す外観図である。
【図２】ホワイトバランス調整具の正面図である。
【図３】ホワイトバランス調整具の平面図である。
【図４】ホワイトバランス調整具を天板に固定した状態を示す側面図である。
【図５】ホワイトバランス調整具の拡大底面図である。
【図６】図４のＶＩ−ＶＩ線に沿う縦断正面図である。
【図７】図４の縦断側面図である。
【図８】ホワイトバランス調整具の上部の拡大縦断側面図である。
【符号の説明】
１０      電子内視鏡
１１      操作部
１２      挿入部
１２ａ    湾曲部
１３      湾曲操作装置
１４      ユニバーサルチューブ
１４ａ    コネクタ部
１５      プロセッサ
１６      光源差込用端部
１７      ライトガイドファイババンドル
１８      ホワイトバランス調整具
１９ａ    筒状部
１９ａ１  内面（筒状部内面）（乱反射面）（微細凹凸面）
１９ｂ    底部
１９ｂ１  内面（底部内面）（乱反射面）（微細凹凸面）
１９ｃ    環状接続部
１９ｄ    環状凸部（環状指標）
２０      通孔
２１      取付片
２２      頭付きねじ
２３      天板
２３ａ    雌ねじ孔
【図１】
2004321478.tif 000003
【図２】
2004321478.tif 000004
【図３】
2004321478.tif 000005
【図４】
2004321478.tif 000006
【図５】
2004321478.tif 000007
【図６】
2004321478.tif 000008
【図７】
2004321478.tif 000009
【図８】
2004321478.tif 000010